(57)【特許請求の範囲】
【請求項１】
吸気口と排気口を有する本体ケースと、この本体ケース内に設けられるとともに、吸湿部と放湿部を有する除湿ローターと、この前記除湿ローターを回転させる回転手段と前記本体ケースの前記吸気口から吸込んだ空気を、第１の送風路により、前記除湿ローターの吸湿部を通過後、前記排気口から本体ケース外に排気する第１の送風機と、前記本体ケース内に設けられた吸湿経路とを備え、前記吸湿経路は、前記除湿ローターの放湿部と、この放湿部の風上側に設けた発熱手段と、この放湿部の風下側に設けた熱交換器と、この吸湿経路内の空気を循環させる第２の送風機とを有し、前記発熱手段は、前記第２の送風機からの送風を取り込む空気入口部と前記除湿ローターの前記放湿部に対向した開口面を有する箱体と、この箱体内に固定された発熱部と前記箱体の前記開口面を覆う蓋部とから形成し、この蓋部には前記発熱部で加熱された空気を吹き出す空気出口部を備え、この空気出口部の周縁であると共に、前記放湿部に対向した前記除湿ローターの外周側に第１の切欠部を設けたことを特徴とする除湿装置。
【請求項２】
前記第１の切欠部は、前記除湿ローターの回転方向における上流側に位置する構成とした
請求項１記載の除湿装置。
【請求項３】
前記第１の切欠部の前記除湿ローターの回転方向における下流側に第２の切欠部を有することを特徴とする請求項２記載の除湿装置。
【請求項４】
前記蓋部は、平板環形状の外枠部と、この外枠部の内周縁から前記除湿ローター側へ伸びた筒形状の連結部と、この連結部の前記除湿ローター側周端部から内方へ伸びた平板環形状の内枠部とから形成し、前記切欠部は、前記内枠部に位置する構成とした請求項１〜３のいずれかに記載の除湿装置。
【発明の詳細な説明】
【技術分野】
【０００１】
本発明は、室内空気を除湿する除湿装置に関するものである。
【背景技術】
【０００２】
従来、この種の除湿装置は、図７、図８に示すものが知られている（例えば、特許文献１参照）。
【０００３】
図７に示すように、本体１０１内には空気中の水分を吸着する除湿ローター１０２と、除湿ローター１０２を回転させる駆動手段１０３と、除湿ローター１０２から水分を放出させる発熱ユニット１０４と、この発熱ユニット１０４により除湿ローター１０２から放出された高温高湿空気を結露させる熱交換器１０５と、熱交換器１０５を通過した高温湿空気を発熱ユニット１０４に戻すダクト１０５ａを内蔵している。発熱ユニット１０４、除湿ローター１０２、熱交換器１０５、ダクト１０５ａは仕切り板（図示せず）によって支持され、本体１０１内部に固定されている。第１送風手段１０７により発熱ユニット１０４、除湿ローター１０２、熱交換器１０５、ダクト１０５ａの順序に通過する空気を閉循環させる閉循環風路と、第２送風手段１０８により熱交換器１０５を冷却するとともに除湿ローター１０２に水分を吸着させて吹出口から乾燥空気を送出する風路を形成している。
【０００４】
なお閉循環風路において、熱交換器１０５内で結露を起こして生じた結露水は排水タンク１０９に貯えるようになっている。
【０００５】
また、図８に示すように発熱ユニット１０４内に加熱ヒーター４ａ、外枠４ｂ、遮蔽板４ｃ、内枠１１０に凸部１１０ａを設け、この凸部１１０ａを除湿ローター１０２の表面と除湿ローター保持枠１１１の凸部１１１ａに沿うように微小な距離を隔てて突出して配設した構成となっている。
【先行技術文献】
【特許文献】
【０００６】
【特許文献１】特開２００３―３８９３０号公報（第６頁、第１図、第４図）
【発明の概要】
【発明が解決しようとする課題】
【０００７】
このような従来の除湿装置では、除湿ローター外周部分で、急激に加熱される境界部分での熱衝撃により除湿ローターに反りが発生し、最悪は発熱ユニットと接触し、除湿ローターが削れて運転が止まってしまうという課題があった。
【０００８】
そこで本発明は、上記従来の課題を解決するものであり、予備過熱をすることで急激に加熱されることがないので、熱衝撃による除湿ローターの反りの発生を防ぐ除湿機を提供することを目的とする。
【課題を解決するための手段】
【０００９】
そして、この目的を達成するために、本発明は、吸気口と排気口を有する本体ケースと、この本体ケース内に設けられるとともに、吸湿部と放湿部を有する除湿ローターとこの前記除湿ローターを回転させる回転手段と、前記本体ケースの前記吸気口から吸込んだ空気を、第１の送風路により、前記除湿ローターの吸湿部を通過後、前記排気口から本体ケース外に排気する第１の送風機と、前記本体ケース内に設けられた吸湿経路とを備え、前記吸湿経路は、前記除湿ローターの放湿部と、この放湿部の風上側に設けた発熱手段と、この放湿部の風下側に設けた熱交換器と、この吸湿経路内の空気を循環させる第２の送風機とを有し、前記発熱手段は、前記第２の送風機からの送風を取り込む空気入口部と前記除湿ローターの前記放湿部に対向した開口面を有する箱体と、この箱体内に固定された発熱部と前記箱体の前記開口面を覆う蓋部とから形成し、この蓋部には前記発熱部で加熱された空気を吹き出す空気出口部を備え、この空気出口部の周縁であると共に、前記放湿部に対向した前記除湿ローターの外周側に第１の切欠部を設けたことを特徴とした除湿装置であり、これにより所期の目的を達成するものである。
【発明の効果】
【００１０】
本発明によれば、吸気口と排気口を有する本体ケースと、この本体ケース内に設けられるとともに、吸湿部と放湿部を有する除湿ローターと、この前記除湿ローターを回転させる回転手段と、前記本体ケースの前記吸気口から吸込んだ空気を、第１の送風路により、前記除湿ローターの吸湿部を通過後、前記排気口から本体ケース外に排気する第１の送風機と、前記本体ケース内に設けられた吸湿経路とを備え、前記吸湿経路は、前記除湿ローターの放湿部と、この放湿部の風上側に設けた発熱手段と、この放湿部の風下側に設けた熱交換器と、この吸湿経路内の空気を循環させる第２の送風機とを有し、前記発熱手段は、前記第２の送風機からの送風を取り込む空気入口部と前記除湿ローターの前記放湿部に対向した開口面を有する箱体と、この箱体内に固定された発熱部と前記箱体の前記開口面を覆う蓋部とから形成し、この蓋部には前記発熱部で加熱された空気を吹き出す空気出口部を備え、この空気出口部の周縁であると共に、前記放湿部に対向した前記除湿ローターの外周側に第１の切欠部を設けたことにより、予備過熱をすることで急激に加熱されることがないので、熱衝撃による除湿ローターの反りの発生を防ぐという効果を得ることができる。
【図面の簡単な説明】
【００１１】
【図１】本発明の実施の形態１の除湿装置を示す概略模式図
【図２】同除湿装置の発熱手段を示す外観斜視図
【図３】同除湿機の発熱ユニットと除湿ローターの断面図（（ａ）切欠部を含まない場合の断面図、（ｂ）切欠部を含まない場合の断面図）
【図４】同除湿装置の除湿ローターにかかる加熱状態を簡易的に表した図（（ａ）切欠部を含まない場合を表した図、（ｂ）切欠部を含まない場合を表した図）
【図５】本発明の実施の形態２の除湿装置の発熱手段を示す外観斜視図
【図６】同除湿装置の除湿ローターにかかる加熱状態を簡易的に表した図
【図７】従来の除湿装置を示す概略模式図
【図８】同、除湿機の発熱ユニットと除湿ローターの断面図
【発明を実施するための形態】
【００１２】
吸気口と排気口を有する本体ケースと、この本体ケース内に設けられるとともに、吸湿部と放湿部を有する除湿ローターと、この前記除湿ローターを回転させる回転手段と、前記本体ケースの前記吸気口から吸込んだ空気を、第１の送風路により、前記除湿ローターの吸湿部を通過後、前記排気口から本体ケース外に排気する第１の送風機と、前記本体ケース内に設けられた吸湿経路とを備え、前記吸湿経路は、前記除湿ローターの放湿部と、この放湿部の風上側に設けた発熱手段と、この放湿部の風下側に設けた熱交換器と、この吸湿経路内の空気を循環させる第２の送風機とを有し、前記発熱手段は、前記第２の送風機からの送風を取り込む空気入口部と前記除湿ローターの前記放湿部に対向した開口面とを有する箱体と、この箱体内に固定された発熱部と前記箱体の前記開口面を覆う蓋部とから形成し、この蓋部には前記発熱部で加熱された空気を吹き出す空気出口部を備え、この空気出口部の周縁であると共に、前記放湿部に対向した前記除湿ローターの外周側に第１の切欠部を設けたことにより、予備過熱をすることで急激に加熱されることがないので、熱衝撃による除湿ローターの反りの発生を防ぐという効果を奏する。
【００１３】
また、前記第１の切欠部は、前記除湿ローターの回転方向における上流側に位置する構成としたことで、漏れなく確実に予備過熱をすることができるので、熱衝撃による除湿ローターの反りの発生を確実に防ぐという効果を奏する。
【００１４】
また、前記第１の切欠部の前記除湿ローターの回転方向における下流側に第２の切欠部を有する構成としたことで、複数回予備加熱をすることができるので、熱衝撃による除湿ローターの反りの発生を確実に防ぐという効果を奏する。
【００１５】
また、前記蓋部は、平板環形状の外枠部と、この外枠部の内周縁から前記除湿ローター側へ伸びた筒形状の連結部と、この連結部の前記除湿ローター側周端部から内方へ伸びた平板環形状の内枠部とから形成し、前記切欠部は、前記内枠部に位置する構成としたことで、切欠部からの加熱空気の漏れを抑制しつつ熱衝撃による除湿ローターの反りの発生を防ぐという効果を奏する。
【００１６】
以下、本発明の実施の形態について図面を参照しながら説明する。
【００１７】
（実施の形態１）
図１に示すように、吸気口４と排気口６を有する本体ケース１と、この本体ケース１内には、吸湿部２ｂと放湿部２ａを有する除湿ローター２と、この除湿ローター２を回転させる回転手段３と、第１の送風機７とを備えている。
【００１８】
この第１の送風機７によって、第１の送風路ｂに空気を送風するものである。第１の送風路ｂには、吸気口４、後述する熱交換器５と、除湿ローター２の吸湿部２ｂ、排気口６を順次設けた構成である。
【００１９】
すなわち、本体ケース１の吸気口４から吸込んだ空気を、後述する熱交換器５の外面を介して、除湿ローター２の吸湿部２ｂを通過させることにより、吸気口４から吸込んだ空気の湿気を除湿ローター２の吸湿部２ｂで吸着、つまり除湿し、排気口６から本体ケース１外に除湿した空気を排気するものである。
【００２０】
また、本体ケース１内には、吸湿経路ａを備えている。
【００２１】
この吸湿経路ａは、除湿ローター２の放湿部２ａと、この放湿部２ａの風上側に設けた発熱手段９と、この放湿部２ａの風下側に設けた熱交換器５と、この吸湿経路ａ内の空気を循環させる第２の送風機８とを有する構成となっている。
【００２２】
すなわち、最初に、吸湿経路ａ内の空気を、発熱手段９で加熱し、高温で相対湿度が低い状態にし、除湿ローター２の放湿部２ａへ送風する。
【００２３】
ここで、除湿ローター２の放湿部２ａは、高温で相対湿度が低い状態の空気が通過するので、除湿ローター２の放湿部２ａの湿気をこの空気に放出することになる。
【００２４】
次に、この湿気を含んだ相対湿度の高い空気は、熱交換器５の内部へ送風される。
【００２５】
ここで、熱交換器５は、第１の送風路ｂ内に位置すると共に、熱交換器５の内部には、吸湿経路ａを備えているものである。
【００２６】
つまり、熱交換器５の内部には、除湿ローター２の放湿部２ａから、湿気を含んだ相対湿度の高い空気が吸湿経路ａを介して送風されると共に、熱交換器５の外面には、本体ケース１の吸気口４から吸込んだ空気が第１の送風路ｂを介して送風されるものである。
【００２７】
すなわち、吸湿経路ａ内、つまり熱交換器５の内部の湿気を含んだ相対湿度の高い空気は、熱交換器５を介して、第１の送風路ｂ内、つまり熱交換器５の外面を通過する本体ケース１の吸気口４から吸込んだ空気によって冷却され、結果として除湿されるものである。
【００２８】
そして、この除湿され空気を、再び、発熱手段９へ送風し循環させるものである。
【００２９】
図２に示すように、発熱手段９は、空気入口部１１と開口面を有する略扇形形状の箱体１０と、箱体１０の開口面を覆う略扇形形状の蓋部１２と、この箱体１０内に固定された発熱部１３を設けたものである。
【００３０】
箱体１０は、第２の送風機８からの送風を取り込む空気入口部１１と除湿ローター２の放湿部２ａに対向した開口面とを有している。
【００３１】
蓋部１２は、発熱部１３で加熱された空気を吹き出す略扇形形状の空気出口部１４を備え、平板環形状の外枠部１６と、この外枠部１６の内周縁から除湿ローター２側へ伸びた筒形状の連結部１７と、この連結部１７の除湿ローター２側周端部から内方へ伸びた平板環形状の内枠部１８から形成されており、切欠部１５は、除湿ローターの回転方向における上流側で内枠部１８に位置する構成とした。
【００３２】
また、図３に示すように、箱体１０の開口面を覆う略扇形形状の蓋部１２は、除湿ローター２の表面と除湿ローター保持枠１９の形状に沿うように微小な距離（０．５ｍｍ以下）を隔てて突出して配設した構成となっている。
【００３３】
図４に示すように、除湿ローター２にかかる加熱の状態を簡易的に表した場合、従来と加熱状況が違うことが分る。
【００３４】
上記構成において、箱体１０の開口面を覆う略扇形形状の蓋部１２と除湿ローター保持枠１９の間には０．５ｍｍ以下の隙間が段状に形成され、内枠部１８に切欠部１５を設けても外枠部１６と連結部１７の働きにより、加熱された温風の漏れを極めて少なく抑制することで、除湿能力低下を防ぐことができる。
【００３５】
また、除湿ローター２の回転方向における上流側に切欠部１５を設けたことで、確実に除湿ローター２の予備過熱をすることができるので熱衝撃による除湿ローター２の反りの発生を防ぐことができる。また、今まで上手く使用できていなかった部分まで使えるようになったことで除湿量向上に繋がる。
【００３６】
（実施の形態２）
以下、本発明の実施の形態２における除湿装置について図面を参照しながら説明する。なお、実施の形態１の構成と同様の構成を有するものについては、同一符号を付してその説明を省略する。
【００３７】
実施の形態２は、以下の内容が実施の形態１に対し異なる点である。
【００３８】
図５に示すように、第１の切欠部１５ａの除湿ローター２の回転方向における下流側に第２の切欠部１５ｂを設けた構成となっている。加熱状況は図６に示す。
【００３９】
このような構成によれば、除湿ローター２は急激に加熱されることがないので、熱衝撃による除湿ローター２の反りを防ぐことができる。
【００４０】
また、除湿量向上に繋がる。
【産業上の利用可能性】
【００４１】
本発明にかかる除湿装置は、除湿ローターの外周部に予備過熱をすることで急激に加熱されることがなくなり、熱衝撃による除湿ローターの反りの発生を防ぐ効果があり、家庭用はもとより、工場などに設置する工業用の除湿装置にも利用可能である。
【符号の説明】
【００４２】
ａ    吸湿経路
ｂ    第１の送風路
１    本体ケース
２    除湿ローター
２ｂ  吸湿部
２ａ  放湿部
３    回転手段
４    吸気口
５    熱交換器
６    排気口
７    第１の送風機
８    第２の送風機
９    発熱手段
１０    箱体
１１    空気入口部
１２    蓋部
１３    発熱部
１４    空気出口部
１５    切欠部
１５ａ  第１の切欠部
１５ｂ  第２の切欠部
１６    外枠部
１７    連結部
１８    内枠部
１９    除湿ローター保持枠
【図１】
0005799208.tif 000002
【図２】
0005799208.tif 000003
【図３】
0005799208.tif 000004
【図４】
0005799208.tif 000005
【図５】
0005799208.tif 000006
【図６】
0005799208.tif 000007
【図７】
0005799208.tif 000008
【図８】
0005799208.tif 000009